(57)【要約】【課題】携帯に便利かつ実用的なメモリカード携帯ケースを提供する。【解決手段】回路板１とコネクタ２を備え、該回路板１上には特定のメモリカードの電気的ジョイント個所に対応した端子１２と必要な電子部品を設け、該端子に接して挿入したメモリカードと電気的に接続されるようにし、該回路板１の一端にコンピュータと接続するＵＳＢなどのコネクタ２を設ける。  挿入されたメモリカード及び回路基板を含む本体を外殻３に収容して保護し、その両端部に着脱可能な蓋を設けて、メモリカードの挿入とコネクタの接続時には、メモリカード挿入スロット及びコネクタを露出する。【選択図】        図３
0003106612.tif 000002
【実用新案登録請求の範囲】
【請求項１】
回路板、コネクタ、外殻より構成されるメモリカード携帯ケースにおいて、
特定のメモリカードの電気的ジョイント個所に対応した弾力を具有する端子及び必要な電子エレメントが直接設けられている回路板と、
電気設備に挿入されてシグナルデータ伝送を行うための着脱式のコネクタと、
を具有し、
該コネクタは該回路板の一端に突出した形態とすると共に該回路板とコネクタの外囲には少なくとも要部を覆う外殻が設けられ、メモリカードが該回路板上に挿入されることにより該端子が電気的に接続されるようにしてなることを特徴とするメモリカード携帯ケース。
【請求項２】
該端子は、メモリカードの必要とする読取・書込端子、シグナル起動端子、ライトプロテクト端子、及びその他の端子の内より一つ或いは複数が選択されてなることを特徴とする請求項１記載のメモリカード携帯ケース。
【請求項３】
該コネクタがUSB連結ポートであることを特徴とする請求項１記載のメモリカード携帯ケース。
【請求項４】
該外殻には外殻本体が設けられ、該外殻の一端を開放状態とすることでメモリカードスロットを設け、対応するメモリカードを挿し込む個所を提供していることを特徴とする請求項１記載のメモリカード携帯ケース。
【請求項５】
該外殻はコネクタを覆い、かつ、該コネクタを外に露出させて被覆してなることを特徴とする請求項１記載のメモリカード携帯ケース。
【請求項６】
該外殻には、メモリカードスロットを被覆する端部蓋が形成されてなることを特徴とする請求項４記載のメモリカード携帯ケース。
【請求項７】
該外殻には、コネクタを被覆する端部蓋が形成されてなることを特徴とする請求項５記載のメモリカード携帯ケース。
【考案の詳細な説明】
【技術分野】
【０００１】
本考案はメモリカード携帯ケースに係り、特に特定のメモリカードに対する電気的接続を提供し、且つ任意のコンピュータ設備等に挿入される、携帯に便利なメモリカード携帯ケースに関わる。
【背景技術】
【０００２】
現在では各種電子製品がデジタル化の時代を迎えており、既に普及しているデジタルカメラやビデオカメラを始め、プリンターやテレビ、翻訳機やゲーム機等と種類も豊富である。これらのデータを保存及び伝送するのに便利なメモリカードがあり、こうしてコンピュータにデータを伝送して画像に修正をしたりするためにもメモリカードとカードリーダが必要不可欠な存在となっている。
また公知のフレキシブルディスクであるが、容量が小さいためにコンピュータ間の大量のデータ伝送には不向きであり、よって容量の大きなメモリカードとしてSDやMS,MMC、SMC等がディスクに取って代わる時代となっている。
【特許文献１】特開２００１−１２５６８０号公報
【考案の開示】
【考案が解決しようとする課題】
【０００３】
しかし、上述のようなカードリーダは、個人の所有するパソコンにまでは普及しておらず、このためメモリカードのデータをコンピュータに伝送したり保存したりする、更に該データに修正をかけようとしても、メモリカードのデータを読み取る術がないといった状況が発生している。
また公知のカードリーダでは、回路板に一つ或いは複数のメモリカードのコネクタがロウ付けにより設けられており、該コネクタの構造には通常絶縁基板や端子、鉄製のケースやアース等といった複雑な構造が含まれ、製造や組み立てのプロセスが煩雑で、完成したカードリーダの体積も大きく、携帯には不向きであり、カードリーダを備えていないコンピュータやその他の電気設備と任意に合わせて使用するのが不可能となっている。
そこで上述の欠点に鑑み、携帯に便利で更に実用的な本考案のメモリカード携帯ケースを提供する。
【課題を解決するための手段】
【０００４】
本考案の実施内容には少なくとも一つの回路板とコネクタとを含み、該コネクタとはUSB連結ポート等とし、該回路板には特定のメモリカード（SD、MS、MMC、SMC等）の電気的ジョイント個所に対応した弾力を具有する端子と必要な電子エレメントを設け、該特定のメモリカードを挿入した後、該回路板と電気的に接続されるようにし、該回路板の一端には上述のコネクタを設け、該コネクタをコンピュータ等の電気設備に任に挿入する。また外殻で該回路板とコネクタを被覆して保護するが、該外殻の一端にはメモリカードスロットを設けてメモリカードを挿入する個所を提供すると同時に、該回路板と電気的に接続できるようにし、該外殻のもう一端からは該コネクタを露出させる。
【考案の効果】
【０００５】
本考案によると、該回路板の板面上に複数の端子が直接固定されているため、公知のメモリカードコネクタの絶縁基板や鉄製のケースの構造が省かれ、軽くて小さく持ち運びが更に便利になったと同時に製造も容易になった。
【考案を実施するための最良の形態】
【０００６】
本考案のメモリカード携帯ケースは、少なくとも一つの回路板１とコネクタ２と外殻３とより構成され、メモリカード４を挿し込んで使用するものである。
【実施例１】
【０００７】
図１に示すように、該回路板１上にはSDやMS或いはMMCやSMCカード等といった挿入された特定のメモリカードと接続する電子部品類が直接熔接などにより固定されている。またこれらのメモリカードの電気的ジョイント個所に対応した複数の弾力を具有する端子１１とその他の必要な電子パーツが設けられており、該端子１１にはメモリカード４が必要とする読取・書込端子１２及びシグナル起動端子１３、ライトプロテクト端子１４及びその他の端子（アース端子等）が含まれ、その内の一つ或いは数個が該特定のメモリカード４が挿入された後に該回路板と電気的に連結されるようになっている。
【０００８】
該コネクタ２はコンピュータ設備やその他の電気設備に任意に挿し込むことにより、シグナルデータ伝送を行う着脱式の電気的連結部品であり、図１に示すようなUSB連結ポート等がこれに含まれる。
図１，２に示すように、該コネクタ２は突起した形状を呈しており、且つ該回路板１の任意の一端に設けられており、該回路板１とコネクタ２の外囲には少なくとも要部が被覆されている、或いは任意に開くことのできる外殻３が設けられており、こうして本考案のメモリカードの携帯ケースが形成される。該特定のメモリカード４が該回路板１の一端より挿し込まれて電気的に連結されると（図３参照）、該コネクタ２をコンピュータやその他の電気設備と任意に連結して使用の準備が完了する。
【０００９】
上述の該外殻３において、少なくとも要部が被覆されているかあるいは任意に開くことのできるというのは、即ち該回路板１及びコネクタ２を被覆するのであるが、図４に示すように実施例では更に外殻本体３１と端部蓋３２，３２´を備える。該外殻本体３１で該回路板１及びコネクタ２を被覆し、一端には開放された状態のメモリカードスロット３１１（図５参照）が設けられており、対応するメモリカード（即ち上述のSD、MS、MMC、SMC等）を挿し込む個所を提供し、該回路板１の複数の端子１１と接触或いは嵌合させる。また該外殻本体３１は該コネクタ２に対応し、使用時には該コネクタ２を外に露出させて被覆しており（図６参照）、その他の電気設備に挿し込んで使用できるようにしている。また二つの端部蓋３２，３２´は該メモリカードスロット３１１とコネクタ２を保護する蓋の役割を果たす。
【図面の簡単な説明】
【００１０】
【図１】本考案のメモリカード携帯ケース内部の構造を示す立体図である。
【図２】本考案のメモリカード携帯ケース内部の構造を示す側面図である。
【図３】本考案のメモリカード携帯ケースの応用実施例を示す図である。
【図４】本考案の外殻における実施例を示す図である。
【図５】本考案の外殻におけるもう一つの実施例を示す図である。
【図６】本考案のコネクタが外に露出した状態を示す図である。
【符号の説明】
【００１１】
１  回路板
１１  弾力を具有する端子
１２  読取・書込端子
１３  シグナル起動端子
１４  ライトプロテクト端子
２  コネクタ
３  外殻
３１  外殻本体
３１１  メモリカードスロット
３２，３２´  端部蓋
４  メモリカード
【図１】
0003106612.tif 000003
【図２】
0003106612.tif 000004
【図３】
0003106612.tif 000005
【図４】
0003106612.tif 000006
【図５】
0003106612.tif 000007
【図６】
0003106612.tif 000008